(57)【特許請求の範囲】
【請求項１】
高粘性歯科材料で使用する、低い押出し力を提供する、歯科カプセルであって：
一定の内径、本体部分内周面と本体部分軸とを有する本体部分と；
この本体部分に隣接し、内径が歯科カプセル先端方向にすぼまっていき、移行部分軸を有する移行部分とを備え、前記本体部分軸が前記移行部分軸と交差して本体−移行角度を形成し、この本体−移行角度が２５°から３５°の範囲で、上側移行表面を有する前記移行部分は前記本体部分の本体部分内周面とある角度で交差し、下側移行部分区分面は、本体部分内周面によって形成された直線と一致する；そして
前記移行部分に隣接し、排出部分軸を有する排出部分を備え、前記移行部分軸は前記排出部分軸と交差して移行−排出角度を形成し、この移行−排出角度が１５°から２５°の範囲であり；
それによって、高粘性歯科材料を、低い押出し力で、そしてこの歯科材料が損傷することなく、押出せるようになったことを特徴とする歯科カプセル。
【請求項２】
本体−移行角度が３０°で、移行−排出角度が１９．５°である請求項１記載の歯科カプセル。
【請求項３】
前記本体部分に取付けられたフランジをさらに備える、請求項１記載の歯科カプセル。
【請求項４】
可撓性ピストンをさらに備える、請求項１記載の歯科カプセル。
【請求項５】
前記可撓性ピストンが、前記移行部分を通り抜けるだけの可撓性を十分に有する、請求項４記載の歯科カプセル。
【請求項６】
前記可撓性ピストンが、長手方向の長さを有する円筒形部分と、円すい形部分とを備える、請求項５記載の歯科カプセル。
【請求項７】
前記本体部分にフランジが取付けられ、該フランジから前記本体部分に延びて、前記可撓性ピストンの円筒形部分の長手方向長さと同じ長手方向長さを有する通気溝をさらに備える、請求項６記載の歯科カプセル。
【請求項８】
可撓性材料からできている、請求項１記載の歯科カプセル。
【請求項９】
前記本体部分内に配される高粘性歯科材料をさらに備える、請求項１記載の歯科カプセル。
【請求項１０】
前記排出部分に配されるシーリングキャップをさらに備える、請求項１記載の歯科カプセル。
【請求項１１】
長手方向の長さを有する円筒形部分と、円すい形部分とを備える可撓性ピストンと；
前記フランジから前記本体部分に延びて、前記可撓性ピストンの円筒形部分の長手方向長さと同じ長手方向長さを有する通気溝とをさらに備える、請求項１記載の高粘性歯科材料で使用する、低い押出し力を提供する、歯科カプセル。
【請求項１２】
本体−移行角度が３０°であり；
移行−排出角度が１９．５°である、請求項１記載の高粘性歯科材料で使用する、低い押出し力を提供する、歯科カプセル。
【請求項１３】
高粘性歯科材料で使用する、低い押出し力を提供する、歯科カプセルであって：
一定の内径と本体部分軸とを有する本体部分と；
この本体部分内に配される高粘性歯科材料と；
前記本体部分に取付けられたフランジと；
前記本体部分に隣接し、内径が歯科カプセル先端方向にすぼまっていき、移行部分軸を有する移行部分とを備え、前記本体部分軸が前記移行部分軸と交差しては本体−移行角度を形成し、この本体−移行角度が２５°から３５°の範囲で；そして
前記移行部分に隣接し、排出部分軸を有する排出部分を備え、前記移行部分軸は前記排出部分軸と交差して移行して移行−排出角度を形成し、この移行−排出角度が１５°から２５°の範囲であり；
長手方向の長さを有する円筒形部分と、円すい形部分とを備える可撓性ピストンと；
前記フランジから前記本体部分に延びて、前記可撓性ピストンの円筒部分の長手方向長さと同じ長手方向長さを有する通気溝と；
前記排出部分をシールするキャップとを備え、
それによって、高粘性歯科材料を、低い押出し力で、そしてこの歯科材料が損傷することなく、押出せるようになったことを特徴とする歯科カプセル。
【発明の詳細な説明】
【０００１】
【関連出願】
本願は、２０００年４月１９日出願の出願番号０９／５５２，３３８、現在ＵＳＰ６，２６１、０９４の一部継続出願である２０００年６月２８日出願の出願番号０９／６０５，４９５の一部継続出願であり、これらの両出願に関する内容は公報番号を参照することにより全面的に本明細書に組込まれる。
【０００２】
【発明の属する技術分野】
本発明は広くは、修復充填用の高粘性複合歯科材料を配するのに使用される歯科カプセルに関し、より詳しくは、低い押出し力で高粘性歯科材料を押出すことのできる内部構造とピストンとを有する、１回分ずつ投与する歯科カプセルに関する。
【０００３】
【従来の技術】
歯科複合材料は多年にわたり、歯の修復充填に使用されてきた。当初、修復充填用の複合材料は、へらや他の充填用歯科器具を用いて、歯の空洞に配されていた。その後、歯科材料をカプセルやシリンジを用いて小出しするほうが望ましいとされるようになった。これは、そのほうが小出ししやすく、さらにへらを用いる充填技法でたびたび起きていた気泡や空所の形成が防止できるからである。しかし、歯科複合材料も変化し改良されて、歯科複合材料の粘性や揺変性により、カプセルでそれを小出しするうえでの問題が発生するようになった。つまり、複合材料として好適なものは多くの場合、カプセルで容易に小出しするには、粘性が高すぎるのである。さらに、この高粘性歯科複合材料を小出しするにはかなりの押出し力が必要なため、しばしば、歯科医にとって材料を配することが困難となり、そのうえ歯科複合材料の物性が力を受けて損傷したり変化したりする恐れもでてきた。そこで、高粘性の歯科複合材料を、低い押出し力で、そしてこのような高粘性の歯科複合材料が損傷するおそれもほとんどなく、小出しできるような歯科カプセルを提供する必要性が高まったのである。
【０００４】
【発明が解決しようとする課題】
そこで本発明の目的は、小さい押出し力で高粘性歯科材料を小出しすることである。
【０００５】
本発明の別の目的は、高粘性歯科材料を１回分ずつ投与するカプセルで、効率的に小出しすることである。
【０００６】
【課題を解決するための手段】
本発明を成す歯科カプセルは、本体部分と、移行部分と、排出部分とを備える。本体部分は、本体部分軸を有し、移行部分は移行部分軸を有し、この移行部分軸は本体部分軸に対して角度を有して配置されている。そして排出部分は排出部分軸を有し、この排出部分軸は移行部分軸に対して角度を有して配置されている。そして円すい部分と円筒部分とを備えるピストンがあり、このピストンンは可撓性を有して移行部分を通り抜け、カプセル内に含まれる歯科材料のほぼ全量を小出しするのに使用される。
本発明を、特許請求の範囲の請求項に従って記述すると以下のとおりとなる。
［請求項１］記載の発明、
高粘性歯科材料で使用する、低い押出し力を提供する、歯科カプセルであって：
一定の内径、本体部分内周面と本体部分軸とを有する本体部分と；
この本体部分に隣接し、内径が歯科カプセル先端方向にすぼまっていき、移行部分軸を有する移行部分とを備え、前記本体部分軸が前記移行部分軸と交差して本体−移行角度を形成し、この本体−移行角度が２５°から３５°の範囲で、上側移行表面を有する前記移行部分は前記本体部分の本体部分内周面とある角度で交差し、下側移行部分区分面は、本体部分内周面によって形成された直線と一致する；そして
前記移行部分に隣接し、排出部分軸を有する排出部分を備え、前記移行部分軸は前記排出部分軸と交差して移行−排出角度を形成し、この移行−排出角度が１５°から２５°の範囲であり；
それによって、高粘性歯科材料を、低い押出し力で、そしてこの歯科材料が損傷することなく、押出せるようになったことを特徴とする歯科カプセル、
及び、［請求項２］記載の発明、
本体−移行角度が３０°で、移行−排出角度が１９．５°である請求項１記載の歯科カプセル、
及び、［請求項３］記載の発明、
前記本体部分に取付けられたフランジをさらに備える、請求項１記載の歯科カプセル、
及び、［請求項４］記載の発明、
可撓性ピストンをさらに備える、請求項１記載の歯科カプセル、
及び、［請求項５］記載の発明、
前記可撓性ピストンが、前記移行部分を通り抜けるだけの可撓性を十分に有する、請求項４記載の歯科カプセル、
及び、［請求項６］記載の発明、
前記可撓性ピストンが、長手方向の長さを有する円筒形部分と、円すい形部分とを備える、請求項５記載の歯科カプセル、
及び、［請求項７］記載の発明、
前記本体部分にフランジが取付けられ、該フランジから前記本体部分に延びて、前記可撓性ピストンの円筒形部分の長手方向長さと同じ長手方向長さを有する通気溝をさらに備える、請求項６記載の歯科カプセル、
及び、［請求項８］記載の発明、
可撓性材料からできている、請求項１記載の歯科カプセル、
及び、［請求項９］記載の発明、
前記本体部分内に配される高粘性歯科材料をさらに備える、請求項１記載の歯科カプセル、
及び、［請求項１０］記載の発明、
前記排出部分に配されるシーリングキャップをさらに備える、請求項１記載の歯科カプセル、
及び、［請求項１１］記載の発明、
長手方向の長さを有する円筒形部分と、円すい形部分とを備える可撓性ピストンと；
前記フランジから前記本体部分に延びて、前記可撓性ピストンの円筒形部分の長手方向長さと同じ長手方向長さを有する通気溝とをさらに備える、請求項１記載の高粘性歯科材料で使用する、低い押出し力を提供する、歯科カプセル、
及び、［請求項１２］記載の発明、
本体−移行角度が３０°であり；
移行−排出角度が１９．５°である、請求項１記載の高粘性歯科材料で使用する、低い押出し力を提供する、歯科カプセル、
及び、［請求項１３］記載の発明は、
高粘性歯科材料で使用する、低い押出し力を提供する、歯科カプセルであって：
一定の内径と本体部分軸とを有する本体部分と；
この本体部分内に配される高粘性歯科材料と；
前記本体部分に取付けられたフランジと；
前記本体部分に隣接し、内径が歯科カプセル先端方向にすぼまっていき、移行部分軸を有する移行部分とを備え、前記本体部分軸が前記移行部分軸と交差しては本体−移行角度を形成し、この本体−移行角度が２５°から３５°の範囲で；そして
前記移行部分に隣接し、排出部分軸を有する排出部分を備え、前記移行部分軸は前記排出部分軸と交差して移行して移行−排出角度を形成し、この移行−排出角度が１５°から２５°の範囲であり；
長手方向の長さを有する円筒形部分と、円すい形部分とを備える可撓性ピストンと；
前記フランジから前記本体部分に延びて、前記可撓性ピストンの円筒部分の長手方向長さと同じ長手方向長さを有する通気溝と；
前記排出部分をシールするキャップとを備え、
それによって、高粘性歯科材料を、低い押出し力で、そしてこの歯科材料が損傷することなく、押出せるようになったことを特徴とする歯科カプセルを、提供するものである。
【０００７】
本発明の別の実施形態においては、カプセルが可撓性材料からできており、円すい形状のピストンを排出部分に通すときに、この排出部分がわずかに拡がるようになっている。
【０００８】
本発明のひとつの利点は、歯科材料のほぼ全量を押出せるということである。
【０００９】
本発明の別の利点は、歯科材料が押出し力により損傷するおそれがほとんどないということである。
【００１０】
本発明の特徴は、カプセルの本体部分の軸と、移行部分の軸と、排出部分の軸とが各部分ごとに、別々のものとして使用できるということである。
【００１１】
本発明の別の特徴は、カプセルが、円すい形状のピストンと組み合う、可撓性の壁を有するということである。
【００１２】
これらおよび他の目的、利点、そして特徴は、以下のより詳細な説明によって、容易に明らかとなる。
【００１３】
【発明の実施の形態】
図１は、歯科カプセル１０の平面図である。この歯科カプセル１０は、フランジ部分１２と、本体部分１４と、移行部分１６と、排出部分１８とを備える。そしてこのカプセル１０には高粘性歯科材料を充填できるようになっている。このカプセルで小出しするときに用いるシリンジは、１９９６年２月６日発行のドラガン（Ｄｏｒａｇａｎ）らによる米国特許第５４８９２０７号明細書の発明の名称が「前方端部が剛性を有してドロップインになっている歯科カートリッジ押出し器（Ｄｅｎｔａｌ  Ｃａｒｔｒｉｄｇｅ  Ｅｘｔｒｕｄｅｒ  Ｗｉｔｈ  Ｒｉｇｉｄ  Ｄｒｏｐ−ｉｎ  Ｆｒｏｎｔ  Ｅｎｄ）」に開示されたシリンジのような構造上の有利性をもつものとなっている。
【００１４】
図２は、本発明の歯科カプセルの内部構造をより明瞭に示したものである。ピストン２０は、可撓性の円すい形前方部分２２と円筒形後方部分２４とを有し、カートリッジ１０の本体１４の内径側部分２６内に配されている。この内径側部分２６の径は内径Ｄである。本体部分１４の後方は開口部２５となっている。そしてピストン２０が開口部２５から配される。材料は、本体１４内にあらかじめ投与されていてよい。通気孔２８が開口部２５から長手方向に延びて、その長手方向長さは、プラグもしくはピストン２０の円筒形後方部分２４の軸長さ分に近似する。さらに排出部分１８は、排出内径側部分３２を有し、その径は内径ｄである。本体内径側部分２６と排出内径側部分３２との間には、移行表面３０がある。この移行表面３０は、歯科材料が方向を変えるのを補助し、歯科材料を移行させて排出部分１８から押出すものである。すなわち移行表面３０により、歯科材料がその方向を変え、さらに歯科材料を押出すのに必要な押出し力を低くすることができたのである。そしてカプセルが鋭い角度をもっている場合、歯科材料に渦ができたり、歯科材料が損傷するおそれがでてくる。しかし本発明の歯科カプセルは、移行表面３０があることによって、カプセルは鋭い角度をもたずに緩やかに曲がっているので、このような問題はない。この歯科カプセルは、その形状により、押出し力を、移行部分１６もしくは移行表面３０のない他のカプセルと比べて、２０％も小さくしたことが、実験的に判明した。なお、この実施形態においてピストン２０の前方部分２２は円すい形になっているが、かならずしも円すい形でなくてもよい。ピストン２０は、移行部分１６の移行表面３０をうまく通り抜けるだけの十分な可撓性を有したものでさえあればよい。
【００１５】
図３は、図２に示されたカプセルの前方端部の拡大断面図である。図３において、移行部分１６と移行表面３０とが、より明瞭に示されている。そして図３により、歯科カプセル１０の各部分の軸どうしの間の関係が示されている。本体部分１４はその内周面２６沿いに、ほぼ一定の内径を有する。本体部分内径側部分もしくは内周面２６が、成形しやすいように、離型するための角度を有していても良い。ただしその角度はわずかであり、本体部分の円筒形の内周面２６の有する内径としてはほぼ一定である。線３４は、本体部分の円筒形の内周面２６の軸を表している。移行部分１６において、その移行部分の内周面３０の内径は一定せずに本体部分１４から排出部分１８に向かってすぼまって、円すい形を成す。さらに移行部分の内周面３０は、軸３６を有する。この軸３６は、軸３４と交差して角度４０を形成する。この角度４０は、２５°から３５°の範囲であり、３０°が好ましい。移行表面３０の一部が、たとえば下側区分３１のところのように、本体部分内周面２６の一部と一致していても良い。そして排出部分内周面３２は、軸３８を有する。この排出部分内周面３２の有する内径ｄは、ほぼ一定である。そしてこの排出部分の内周面の軸３８は、移行部分の内周面の軸３６と交差して、角度４２を形成する。角度４２は１５°から２５°の範囲でよく、１９．５°が好ましい。つまり、好適な実施形態においては、角度４０が３０°であり、角度４２が１９．５°である。このような角度の歯科カプセルは、押出し力を、移行部分１６のない構造である従来の歯科カプセルと比べて、同じ歯科複合材料を用いて、およそ２０％小さくしたことが、実験的に判明した。押出し力が大きいと、歯科材料が押切られたり歯科複合材料の成分が分離してその特性が影響を被ることにより、歯科材料が損傷することになる。
【００１６】
図４は、本発明の別の実施形態を示したものであり、ここではピストン１２０の形状が上記と異なる。カプセル１１０は、フランジ１１２と、本体部分１１４と、移行部分１１６と、排出部分１１８とを備えている。そしてキャップ１４４が、排出部分１１８を密封している。また通気孔１２８が、カプセル１１０の後方開口部に隣接して形成されている。そして材料１４６が、カプセル１１０の本体部分１１４内に配されている。この歯科材料１４６が、５０容量％を越える充填剤を有する超高粘性歯科材料であると好ましい。この実施形態では、ピストン１２０は、円筒形後方部分１２４と半球形前方部分１２２とを有する。この半球形前方部分１２２が、移行部分１１６の形状に順応できるように、可撓性の材料からできていると良い。
【００１７】
図５は、図４に示された実施形態の正面図である。排出部分１１８の端部の排出部分の内周面１３２が、より明瞭に示されている。
【００１８】
図６は、図４に示された実施形態の背面図である。本体部分の内周面１２６内に形成された通気孔１２８が、明瞭に示されている。この通気孔１２８は、ピストン１２０を本体部分に配する際に補助となって、本体部分１１４に配されている歯科材料１４６に圧かけないようにしている。
【００１９】
図７は、本発明のさらに別の実施形態を示す断面図である。この実施形態では、歯科カプセル２１０は、力を受けて拡がるようになった可撓性のプラスティックやゴムタイプの材料からできている。この歯科カプセル２１０は、フランジ２１２と本体部分内周面２２６とを有する。この本体部分の内周面２２６は、ほぼ円筒形になっており、その内径はほぼ一定である。さらにピストン２２０は、ほぼ円筒形の部分２２４と、円すい形の部分２２２とを備えている。そしてこのピストン２２０も可撓性材料からできている。さらに、ピストン２２０の円すい形部分２２２は、湾曲面を容易に通り抜けるだけの十分な可撓性を有している。そしてピストン２２０は、カプセル２１０内を下げられて、粘性歯科材料を押出すようになっている。ピストン２２０がカプセル２１０の排出端部まで進むと、ピストン２２０の円すい形部分２２２の前方端部が、排出部分２１８の可撓性の壁を外側に拡げる。円すい形部分２２２の前方端部もまた、可撓性の材料からできていて、排出部分２１８の湾曲形状に順応できるようになっている。さらに円すい形部分２２２の前方端部の径は、排出部分２１８の内径より大きくなっている。本発明のこの実施形態では、歯科カプセル２１０から、ほぼ全量の歯科材料を押出せる。
【００２０】
図８は、図７に示された歯科カプセル２１０から抜き出したピストン２２０を示したものである。ピストン２２０の形状が、この図８によって、明瞭に示される。このような形状のピストン２２０とカプセル２１０の可撓性の壁とを組み合わせたことによって、カプセル２１０内部に含まれた図７には示されていない歯科材料のほぼ全量を、確実に押出せるようになった。
【００２１】
したがって、本発明のひとつの実施形態においては、移行表面を使用すること、そして、本体部分の軸と、移行部分の軸と、排出部分の軸との間に前記したような関係があることによって、高粘性歯科材料を、実質的に低い押出し力で、押出せるようになった。くわえて本発明により、歯科材料を押し切ったり損傷させたりすることなく、押出せるようになった。このことから、修復充填のために歯内に配される歯科材料の性能が向上した。つまり、修復充填がうまくできるようになった。そして別の実施形態においては、カプセルの可撓性壁が、可撓性を有するように形成されたピストンと協働して、歯科材料のほぼ全量を押出せるようになったのである。
【００２２】
本発明の好適な実施形態について示して述べてきたが、当業者であれば、本発明の本質と範囲とから逸脱することなく、さまざまな変形が可能であることが明らかであろう。
【００２３】
【発明の効果】
以上述べてきたことから明らかなように、本発明の歯科カプセルにより、高粘性の歯科複合材料を低い押出し力で、そしてこの高粘性の歯科複合材料が損傷することなく、小出しできるようになったことによって、また、歯科材料のほぼ全量を確実に押出せるようになったことによって、歯の修復充填技法が向上した。
【図面の簡単な説明】
【図１】歯科カプセルの平面図である。
【図２】図１の線２−２についての断面図である。
【図３】歯科カプセルの移行部分をより明瞭に示した部分拡大図である。
【図４】本発明の別の実施形態を示す部分断面立面図である。
【図５】本発明の図４に示された実施形態の正面図である。
【図６】本発明の図４に示された実施形態の背面図である。
【図７】本発明のさらに別の実施形態の断面図である。
【図８】本発明の図７に示された実施形態で使用されるピストンの斜視図である。
【符号の説明】
１０、１１０、２１０    歯科カプセル
１２、１１２、２１２    フランジ
１４、１１４    本体部分
１６、１１６    移行部分
１８、１１８、２１８    排出部分
２０、１２０、２２０    ピストン
２２、１２２、２２２    円すい形前方部分
２４、１２４、２２４    円筒形後方部分
２５    開口部
２６、１２６、２２６    本体内径側部分、本体部分内周面
２８、１２８、２２８    通気孔
３０    移行内径側部分、移行部分内周面
３２、１３２、２３２    排出内径側部分、排出部分内周面
３４    本体部分軸
３６    移行部分軸
３８    排出部分軸
４０、４２    軸交差角度
１４４    キャップ
１４６    歯科材料
Ｄ、ｄ    内径
【図１】
0004495913.tif 000002
【図２】
0004495913.tif 000003
【図３】
0004495913.tif 000004
【図４】
0004495913.tif 000005
【図５】
0004495913.tif 000006
【図６】
0004495913.tif 000007
【図７】
0004495913.tif 000008
【図８】
0004495913.tif 000009